(57)【要約】【課題】ノート型パソコンは作業机のかなりの部分を占領し、別の作業をする場合ノートパソコンの占めるスペースが有効に利用できない。また、パソコンを直立させるスタンドはあるもののそのまま持ち運びできるスタンドは無かった上記問題点を解消すべく、パソコンケースをスタンド付きとし、パソコン使用中はパソコン作業台として利用でき、使用後はスタンドに立てて机の作業スペースを確保し、さらにパソコンを収納したまま持ち運び可能なパソコンケースを提供しようとするものである。【解決手段】パソコンケースがパソコン積載部とパソコン保護部および配線収納部の３区画から構成され、配線収納部を嵌め込んで支えるスタンドを有し、パソコン積載部と配線収納部との境界部にパソコンの配線収納部への移動を制限する仕切りを設け、パソコン保護部の側面部に配線収納部と反対側に取っ手を有し、パソコン積載部とパソコン保護部の内側に緩衝材を設けた。【選択図】  図１
0003138040.tif 000002
【実用新案登録請求の範囲】
【請求項１】
パソコンを使用しない時は携帯用ケースおよびスタンド台として、パソコン使用時はパソコン台として利用できるパソコンケースとスタンドであって、パソコンケースはパソコン積載部とパソコン保護部および配線収納部の３区画からなり、スタンドは配線収納部を嵌め込んで支え、パソコン積載部と配線収納部の境界部にパソコンの配線収納部への移動を制限する仕切りを設け、配線収納部側面には配線口を設け、パソコン保護部の側面部で配線収納部と反対側に取っ手を設けるとともに、パソコン積載部とパソコン保護部にそれぞれを密着させる止め具を有し、パソコン積載部とパソコン保護部の内側には緩衝材を設けたことを特徴とするスタンド付きノート型パソコンケース。
【請求項２】
パソコン積載部の側面の高さがパソコン保護部の側面の高さより小さいことを特徴とする請求項１のスタンド付きノート型パソコンケース。
【請求項３】
パソコン積載部の底部に、パソコン積載部と水平面との角度を調節するための高さ調整機構を有することを特徴とする請求項１のスタンド付きノート型パソコンケース。
【請求項４】
パソコン保護部と配線収納部がヒンジにより回転可能であり、パソコン保護部の角度が調節できることを特徴とする請求項１のスタンド付きノート型パソコンケース。
【請求項５】
スタンドの高さは配線収納部の高さ以下であり、スタンドの側面は、配線収納部を受ける内部部分がコ型の側部開放形であり、外部部分が下に拡大する形状である請求項１のスタンド付きノート型パソコンケース。
【考案の詳細な説明】
【技術分野】
【０００１】
本考案は、ノート型パソコンのスタンド付き常時収納作業型パソコンケースに関するものである。
【背景技術】
【０００２】
ノート型パソコンは使用しない時も作業机のかなりの部分を占領し、パソコン作業以外の別の作業をする場合ノートパソコンの占めるスペースが有効に利用できない。
ノートパソコンを机の上から移動し机のスペースを確保することは可能ではあるが、配線をはずしたりスイッチを切ったりと手間と時間がかかる問題があった。また、近年オフィスのスペースは限られているためノートパソコンを置くスペースもなかなか確保できない。
パソコンを使用しない時にはノートパソコンを垂直に立てられれば作業机のスペースも確保でき好都合であるが、パソコンを垂直状態に直立させるためには、パソコンの電源、コード、その他の差し込み口などが障害となり、容易に直立させることができない。また、パソコンを直立させるスタンドはすでに存在しても即座にパソコンの操作を開始できたり、パソコンが持ち運びできるスタンドは無かった。
【考案の開示】
【考案が解決しようとする課題】
【０００３】
本考案はパソコンを常時収納したまま作業台として利用可能とし、パソコン使用後はそのまま縦置きして机のスペースを有効に利用でき、さらにパソコンを収納したまま持ち運び可能な常時収納作業型パソコンケースを提供しようとするものである。
【課題を解決するための手段】
【０００４】
パソコンケースがパソコン積載部１とパソコン保護部２および配線収納部３の３区画からなり、配線収納部３を嵌め込んで支えるスタンドを有し、パソコン積載部１と配線収納部３の境界部にパソコンの配線収納部への移動を制限する仕切り９を設け、配線収納部側面には配線口４を設け、パソコン保護部２の側面部には配線収納部３と反対側に取っ手７を有するとともに、パソコン積載部１とパソコン保護部２の内側に緩衝材５を設ける。
パソコン積載部１とパソコン保護部２にはそれぞれを密着させる止め具８を有し、パソコン使用後はパソコン積載部１とパソコン保護部２を閉じてスタンド１０に立てて保管でき、また持ち運び用ケースとして利用できる。またパソコン積載部１の側面の高さはパソコン保護部２の側面の高さより小さくすることで、パソコン側面の各種付属機器やアダプター、コネクターの利用が問題なく利用可能である。
パソコン積載部１の底部には、パソコン積載部と水平面との角度を調節するための高さ調整機構を有し、パソコンの前後の傾斜角度が調節可能とする。
さらに、パソコン保護部２と配線収納部３がヒンジ６により回転可能となっており、これによりパソコンディスプレイの前後の角度が調節できる特徴を有する。
また、スタンドの高さは配線収納部３の高さ以下とする必要がある。そうしないとパソコン積載部１を引き出す際に障害となる。スタンドの側面は、配線収納部３を受ける内部部分がコ型の側部開放形であり、外部部分が下に拡大する形状である。このような形状にすることでパソコンケースを容易に転倒しないようにできる。
【０００５】
パソコンケースをこのような構造にすることにより、パソコンスタンド１０に配線収納部３を入れて固定すれば、パソコン積載部を手前に開くことで即時にパソコンを使用できる状態にすることができる。パソコン使用後はパソコン積載部１を手前側から持ち上げ、パソコン保護部に合体し留め金８で固定することで、パソコンを内蔵したままパソコンケースごとスタンドに直立状態にすることができ、使用者に広い作業スペースを提供することができる。また、使用後、携帯の必要がある場合は、電源などの補助媒体は配線収納部３に収納し、パソコン本体とともに取っ手を持って迅速に携帯することが可能となる。
【考案の効果】
【０００６】
（１）作業机のスペースを有効に利用することが可能となる。
つまりパソコンを使用しない時は、パソコンを直立させてスタンドに立てることによって、より広い作業スペースを利用者に提供できる。とくにノートパソコンを常時使用しない利用者には有効である。
（２）パソコンの持ち運びが可能
ノートパソコンを携帯する必要ができたら、パソコン使用後パソコン積載部１をパソコン保護部２に合体させ、止め金８で固定し、取っ手７を持ってそのまま持ち運びが可能である。
（３）配線類が整理整頓される。
配線収納部３に、電源コード類が収納されているため余分な長さのコード類は配線収納部３に収納されているため、パソコン回りの配線類が整理整頓され、さらに作業机の無駄なスペースが減少させることができる。
【考案を実施するための最良の形態】
【０００７】
パソコン積載部１とパソコン保護部２をノートパソコンのおよび配線収納部３の３区画からなるほぼ直方体のパソコンケースと、配線収納部３を収容するコの字型の内部形状で外部形状が下に末広がりのスタンド１０を作製する。スタンドの側面はパソコンケースの配線収納部３からの配線口４がふさがらないように開放した形状にする。パソコン積載部１とパソコン保護部２の大きさは、パソコン積載部１とパソコン保護部２でノートパソコンを内蔵できる大きさとする。また、配線収納部３は電源などの補助媒体を収納可能な大きさとする。パソコン積載部１と配線収納部３の境界部にパソコンの配線収納部への移動を制限する仕切り９を設け、パソコンスタンドとした時パソコンが落下したりしないようにする。パソコン保護部２の側面部の配線収納部３と反対側、つまりスタンドとした場合上側に、取っ手７を取り付け、持ち運びの時に利用する。パソコン積載部１とパソコン保護部２の内側に緩衝材５を設けることでパソコンの損傷を防止できる。
パソコンケースの配線収納部３の側面には配線口４を設ける。
パソコン積載部１とパソコン保護部２の側面にはそれぞれを密着させる止め具８を有し、スタンドまたは持ち運び用ケースとして使用する際もケースは閉じた状態を維持することができる。
また、パソコン側面は各種パソコン付属機器やアダプター、コネクター類を接続する必要があるため、パソコン積載部１の側面の高さはこれらの付属機器の利用に支障が生じない程度の高さに抑える。５〜１０ｍｍ程度が望ましい。
パソコン積載部１の底部には、パソコン積載部と水平面との角度を調節するための高さ調整機構を有し、パソコンの前後の傾斜角度の調整ができるようにする。
さらに、パソコン保護部２と配線収納部３がヒンジにより回転可能となっており、これによりパソコンディスプレイの前後の角度が調節できる特徴を有する。
【０００８】
パソコンケースをこのような構造にすることにより、パソコンスタンド１０に配線収納部３を固定し、パソコン積載部１を手前に開くことで即時にパソコンを使用できる状態にすることができる。パソコン使用後はパソコン積載部１を手前側から持ち上げ、パソコン保護部２に合体し、留め金８で固定することでパソコンを収納したままパソコンケースを直立状態にすることができ、使用者に広い作業スペースを提供することができる。また、使用後、携帯の必要がある場合は、電源などの補助媒体は配線収納部３に収納し、パソコン本体とともに取っ手７を持って迅速に携帯することが可能となる。
【０００９】
なお、パソコン本体を収納する積載部１は、パソコン本体が配線収納部３に移動しないようなストッパーや固定ベルトを備えるのがさらに望ましい。また、本考案はケースに入れた状態で使用できることと、そのまま携帯できるという特徴を備えるために、パソコン収納部３には、使用時にパソコン本体から放出される熱を放出するための放熱孔を備えることが望ましい。さらに、携帯時にパソコン本体を保護するために、放熱孔、配線口４にはスライド式に開閉できる蓋を備える構造とすることも可能である。また、パソコン保護部２は、パソコンの表示部(パソコン蓋部)の角度を最適にできるように角度が調節できる機能を備えるものとする。
【図面の簡単な説明】
【００１０】
【図１】本発明の一実施形態に係るパソコンケースの、ノートパソコンの積載部を開いた状態を示す斜視図である。
【図２】実施形態に係る外装ケースに、ノートパソコン本体を積載した状態を示す斜視図である。
【図３】図１におけるノートパソコンの積載部を閉め、ノートパソコン本体を収納した状態で直立した状態の斜視図である。
【図４】パソコン外装ケースを直立させるためのスタンドの斜視図である。
【図５】パソコン外装ケースの側面図である。
【図６】パソコン外装ケースの上面図である。
【符号の説明】
【００１１】
１  パソコン積載部  
２  パソコン保護部
３  配線収納部
４  配線口
５  緩衝材
６  ヒンジ
７  取っ手
８  留め金
９  仕切り
１０  スタンド
【図１】
0003138040.tif 000003
【図２】
0003138040.tif 000004
【図３】
0003138040.tif 000005
【図４】
0003138040.tif 000006
【図５】
0003138040.tif 000007
【図６】
0003138040.tif 000008